(57)【特許請求の範囲】
【請求項１】
回転機械の回転シャフトに結合される基部と、該基部の軸回りに間隔を置いて基部に結合されている複数のコンプレッサ翼と、を有するコンプレッサ羽根車であって、
前記基部は、軸方向一端側に位置する先端面と、該先端面と反対側に位置する後端面を有し、
前記基部には、前記後端面から軸方向に延びるシャフト挿入孔が形成されており、シャフト挿入孔は、回転シャフトが挿入される孔であり、
前記基部には、その中心軸位置において、前記先端面から軸方向に延びた中心孔が形成されていることにより、前記後端面側に重心がずらされており、前記中心孔の内周面は閉じている、ことを特徴とするコンプレッサ羽根車。
【請求項２】
前記基部は、中心軸に対する半径方向の最も外側に位置する最外径部分を有し、
前記中心孔により、前記最外径部分と同じ軸方向位置に重心がずらされている、ことを特徴とする請求項１に記載のコンプレッサ羽根車。
【請求項３】
前記基部の前記先端面には、中心軸位置から、中心軸に対する半径方向外側にずれた位置において工具係合部が設けられており、
前記中心孔と工具係合部のうち工具係合部のみに、中心軸回りの周方向に工具が係合した状態で、工具を中心軸回りに回転させて、シャフト挿入孔の内周面に形成された雌ネジ部と、回転シャフトの外周面に形成された雄ネジ部を螺合させることにより、回転シャフトと前記基部が結合可能となっている、ことを特徴とする請求項１または２に記載のコンプレッサ羽根車。
【請求項４】
先端面及び前記先端面とは反対の後端面を有する基部と、
前記基部に結合されたコンプレッサ翼と、
前記基部の前記後端面から前記基部の前記先端面に向かって、前記基部の中心軸方向に延びるシャフト挿入孔と、
前記中心軸の位置において、前記基部の前記先端面から前記基部の前記シャフト挿入孔の側に向かって延びる中心孔と、
を有する、コンプレッサ羽根車。
【請求項５】
前記基部には、前記中心孔よりも、前記中心軸に直交する方向であって前記中心軸を中心とする円の半径方向外側に、前記先端面から前記後端面側へ前記中心軸に沿って延びる工具挿入孔がさらに設けられている、請求項４に記載のコンプレッサ羽根車。
【請求項６】
前記基部は、前記後端面の側に位置する後端側部分の材料が、前記先端面の側に位置する先端側部分の材料よりも密度が高い、請求項４または５に記載のコンプレッサ羽根車。
【請求項７】
前記後端側部分の材料は鋼または鋼合金であり、前記先端側部分の材料はアルミ合金である、請求項６に記載のコンプレッサ羽根車。
【請求項８】
前記基部には、前記基部の最外径部分よりも前記後端面の側において、前記中心軸に直交する方向であって前記中心軸を中心とする円の半径方向外側に拡大された拡径部分をさらに有する、請求項４ないし６のいずれか一項に記載のコンプレッサ羽根車。
【請求項９】
前記シャフト挿入孔は、前記先端面まで貫通せず、前記先端面に向かう途中において底部を有する、請求項４に記載のコンプレッサ羽根車。
【請求項１０】
前記中心孔は円筒形である、請求項４に記載のコンプレッサ羽根車。
【発明の詳細な説明】
【技術分野】
【０００１】
本発明は、コンプレッサ羽根車に関する。
【背景技術】
【０００２】
コンプレッサ羽根車は、回転機械の回転シャフトに結合される基部と、該基部の軸回りに間隔を置いて基部に結合されている複数のコンプレッサ翼と、を有する。
【０００３】
前記基部には、その後端面から軸方向に延びるシャフト挿入孔が形成されている。シャフト挿入孔に、回転機械の回転シャフトが挿入されることにより、コンプレッサ羽根車の基部と回転シャフトが結合される
【０００４】
基部に回転シャフトを結合する前に、コンプレッサ羽根車のアンバランス計測とアンバランス修正を行っている。アンバランス計測時には、シャフト挿入孔に、マンドレルを挿入し、この状態で、コンプレッサ羽根車を、マンドレルの軸回りに回転させる。この回転時において、コンプレッサ羽根車についての振動強度と回転角との関係をアンバランスデータとして取得する。アンバランス修正時には、アンバランスデータに基づいて、コンプレッサ羽根車の軸回りのアンバランス位置において、コンプレッサ羽根車の一部を除去（切削）する。これにより、コンプレッサ羽根車のアンバランスを修正する。
【０００５】
上述したコンプレッサ羽根車は、例えば、特許文献１に記載されており、上述したアンバランス計測は、例えば、下記の特許文献２に記載されている。また、本発明に関連する他の先行技術文献として下記の特許文献３がある。
【先行技術文献】
【特許文献】
【０００６】
【特許文献１】特開２００９−１７４３５８号公報
【特許文献２】特開２００５−１７２５３８号公報
【特許文献３】特開２００９−２０８１３８号公報
【発明の概要】
【発明が解決しようとする課題】
【０００７】
しかし、コンプレッサ羽根車の重心は、シャフト挿入孔の底面よりも前記基部の先端面側（シャフト挿入孔と反対側）に離れているので、アンバランス計測時において、コンプレッサ羽根車の重心が、シャフト挿入孔内のマンドレルから基部の先端面側へ離れている。そのため、アンバランス計測時において、コンプレッサ羽根車の回転が、不安定になる可能性がある。
【０００８】
そこで、本発明の目的は、コンプレッサ羽根車のアンバランス計測時に、その回転の安定性を高めることにある。
【課題を解決するための手段】
【０００９】
上述の目的を達成するため、本発明によると、回転機械の回転シャフトに結合される基部と、該基部の軸回りに間隔を置いて基部に結合されている複数のコンプレッサ翼と、を有するコンプレッサ羽根車であって、
前記基部は、軸方向一端側に位置する先端面と、該先端面と反対側に位置する後端面を有し、
前記基部には、前記後端面から軸方向に延びるシャフト挿入孔が形成されており、シャフト挿入孔は、回転シャフトが挿入される孔であり、
前記基部には、その中心軸位置において、前記先端面から軸方向に延びた中心孔が形成されていることにより、前記後端面側に重心がずらされており、前記中心孔の内周面は閉じている、ことを特徴とするコンプレッサ羽根車が提供される。
【００１０】
好ましくは、前記基部は、中心軸に対する半径方向の最も外側に位置する最外径部分を有し、
前記中心孔により、前記最外径部分と同じ軸方向位置に重心がずらされている。
【００１１】
本発明の好ましい実施形態によると、前記基部の前記後端面には、中心軸位置から、中心軸に対する半径方向外側にずれた位置において工具係合部が設けられており、
前記中心孔と工具係合部のうち工具係合部のみに、中心軸回りの周方向に工具が係合した状態で、工具を中心軸回りに回転させて、シャフト挿入孔の内周面に形成された雌ネジ部と、回転シャフトの外周面に形成された雄ネジ部を螺合させることにより、回転シャフトと前記基部が結合可能となっている。
【発明の効果】
【００１２】
上述した本発明によると、コンプレッサ羽根車の前記基部には、その中心軸位置において、前記先端面から軸方向に延びる中心孔が形成されていることにより、コンプレッサ羽根車の重心を前記後端面側にずらしているので、アンバランス計測時に、コンプレッサ羽根車の重心を、シャフト挿入孔内のマンドレル側に寄せることができる。従って、アンバランス計測時において、コンプレッサ羽根車の回転安定性を高めることができる。
【図面の簡単な説明】
【００１３】
【図１】本発明の第１実施形態によるコンプレッサ羽根車を示す。
【図２】（Ａ）は、図１のＡ−Ａ線矢視図であり、（Ｂ）は、図１のＢ−Ｂ線矢視図である。
【図３】コンプレッサ羽根車と回転シャフトの結合手順を示す。
【図４】コンプレッサ羽根車のアンバランス計測時の状態を示す。
【図５】本発明の第２実施形態によるコンプレッサ羽根車を示す。
【図６】本発明の第３実施形態によるコンプレッサ羽根車を示す。
【発明を実施するための形態】
【００１４】
本発明の好ましい実施形態を図面に基づいて説明する。なお、各図において共通する部分には同一の符号を付し、重複した説明を省略する。
【００１５】
［第１実施形態］
図１は、本発明の第１実施形態によるコンプレッサ羽根車１０を示す。
【００１６】
コンプレッサ羽根車１０は、回転機械の回転シャフト３に結合され、回転駆動される回転シャフト３と一体で回転することにより、吸入流体（気体または液体）を圧縮する。回転機械は、ターボ機械であってよい。本実施形態では、ターボ機械は、コンプレッサ羽根車１０によって、流体と機械との間で連続的にエネルギーを変換する機械である。すなわち、ターボ機械では、回転駆動されているコンプレッサ羽根車１０の運動エネルギーを流体に連続的に与える。
【００１７】
コンプレッサ羽根車１０は、回転機械の回転シャフト３に結合される基部５と、該基部５の中心軸Ｃ回りに間隔を置いて基部５に結合されている複数のコンプレッサ翼７と、を有する。基部５は、軸方向一端側に位置する先端面９と、該先端面９と反対側に位置する後端面１１を有する。基部５には、後端面１１から軸方向に延びるシャフト挿入孔１３が形成されている。シャフト挿入孔１３には、回転シャフト３が挿入される。本実施形態では、回転シャフト３の一端部には、ターボ機械（例えば、船舶用過給機または車両用過給機）のタービン羽根車が結合されており、回転シャフト３の他端部がシャフト挿入孔１３に挿入されてよい。タービン羽根車は、エンジンの排ガスにより回転駆動される。
なお、本願において、軸方向とは、コンプレッサ羽根車１０の中心軸Ｃと平行な方向を意味し、半径方向とは、中心軸Ｃに直交する方向であって中心軸Ｃを中心とする円の半径方向を意味し、周方向とは、中心軸Ｃを回る方向を意味する。
【００１８】
コンプレッサ羽根車１０は、中実に形成されている。すなわち、シャフト挿入孔１３は、先端面９まで貫通することなく、先端面９側に向かう途中において底部を有している。
【００１９】
本実施形態によると、基部５には、その中心軸Ｃの位置において、先端面９から軸方向に延びる中心孔１５が形成されている。これにより、コンプレッサ羽根車１０の重心Ｇを後端面１１側にずらしている。基部５の中心軸Ｃは、コンプレッサ羽根車１０の中心軸Ｃでもある。
【００２０】
中心孔１５の内周面は閉じている。すなわち、中心孔１５の内周面は、連続的に１周して閉じている。好ましくは、中心孔１５は、円筒形であり、軸方向から見た形状が、閉じた円形である。従って、中心孔１５は、コンプレッサ羽根車１０と回転シャフト３の結合時に使用されない。言い換えると、中心孔１５には、当該結合に使用される後述の工具１９または他の工具が周方向に係合しない。
【００２１】
コンプレッサ羽根車１０と回転シャフト３の結合は、基部５の先端面９に設けられた工具係合部１７を用いて行われる。図２（Ａ）は、図１のＡ−Ａ線矢視図であり、先端面９を示し、図２（Ｂ）は、図１のＢ−Ｂ線矢視図であり、工具１９を示す。
【００２２】
工具係合部１７は、中心軸Ｃの位置から半径方向外側にずれた位置に設けられている。工具係合部１７は、図１と図２（Ａ）では、周方向に間隔をおいて形成された複数（図２（Ａ）の例では、６つ）の工具挿入孔１７ａからなる。各工具挿入孔１７ａは、先端面９から軸方向に延びるように形成されている。
【００２３】
工具１９は、図１と図２（Ｂ）では、複数の工具挿入孔１７ａにそれぞれ挿入される複数の挿入部１９ａと、これらの挿入部が結合され、図２（Ｂ）において多角形（例えば、六角形）の形状を有する頭部１９ｂを有する。
【００２４】
コンプレッサ羽根車１０と回転シャフト３の結合は、次の手順で行われる。
まず、図３（Ａ）のように、シャフト挿入孔１３内に回転シャフト３の先端部を挿入する。
次に、図３（Ｂ）のように、工具係合部１７に工具１９を周方向に係合させる。この例では、複数の工具挿入孔１７ａにそれぞれ複数の挿入部１９ａを挿入することにより、工具係合部１７に工具１９を周方向に係合させる。
この状態で、工具１９を中心軸Ｃ回りに回転させて、シャフト挿入孔１３の内周面に形成された雌ネジ部１３ａに、回転シャフト３の外周面に形成された雄ネジ部３ａを螺合させる。これにより、図３（Ｃ）のように、コンプレッサ羽根車１０を回転シャフト３に締結して両者を結合する。なお、工具１９の回転は、例えば、レンチを用いて頭部１９ｂを回転させることにより行われてよい。
【００２５】
コンプレッサ羽根車１０のアンバランス計測とアンバランス修正は、コンプレッサ羽根車１０と回転シャフト３を結合する前に行う。
【００２６】
コンプレッサ羽根車１０のアンバランス計測では、図４のように、シャフト挿入孔１３に、マンドレル２１を挿入し、この状態で、コンプレッサ羽根車１０を、マンドレル２１の軸回りに回転させる（詳しくは、特許文献２を参照）。この回転時において、コンプレッサ羽根車１０について振動強度と回転角との関係をアンバランスデータとして取得する。
【００２７】
なお、この回転時において、マンドレル２１の先端部２１ａと、これの反対側にある根元部２１ｂとが、それぞれ、シャフト挿入孔１３の内周面において雌ネジ部１３ａが形成されていない部分を半径方向に支持する。この時、先端部２１ａおよび根元部２１ｂとシャフト挿入孔１３の内周面との間には、潤滑用流体（例えば、潤滑油）が供給される。また、前記回転時において、マンドレル２１のベース上面２１ｃが後端面１１を鉛直方向（軸方向）に支持する。この時、上面２１ｃと後端面１１との間には、潤滑用流体（例えば、潤滑油）が供給される。
【００２８】
第１実施形態によると、コンプレッサ羽根車１０の重心Ｇは、中心孔１５により、軸方向に関してマンドレル２１側にずらされているので、アンバランス計測時において、コンプレッサ羽根車１０の回転安定性が高くなる。
【００２９】
コンプレッサ羽根車１０のアンバランス修正時には、アンバランスデータに基づいて、アンバランスが存在する周方向位置において、コンプレッサ羽根車１０の一部を除去（切削）する。これにより、コンプレッサ羽根車１０のアンバランスを修正する。ここで、除去する部分は、軸方向における２箇所である。この２箇所は、図１に示すように、基部５の最外径部分５ａ（図１の破線で囲んだ部分）と、基部５の先端部分５ｂ（図１の破線で囲んだ部分）である。最外径部分５ａは、基部５において、半径方向の最も外側に位置する部分である。
【００３０】
好ましくは、中心孔１５により、基部５の最外径部分５ａと同じ軸方向位置に重心Ｇが位置している。これにより、最外径部分５ａと先端部分５ｂのうち、最外径部分５ａのみを除去することにより、コンプレッサ羽根車１０のアンバランスを修正することができる。
【００３１】
次の［表１］は、中心孔１５による重心Ｇのずれを示す実施例を示す。
【００３２】
【表１】
0005769061.tif 000002
【００３３】
この表において、１段目の孔の深さは、先端面９から後端面１１までの軸方向距離に対するパーセンテージで示されている。
２段目の各欄内の数値は、中心孔１５と６つの工具挿入孔１７ａのうち中心孔１５のみを設けた場合において、重心Ｇが移動した距離を比率で示している。すなわち、中心孔１５の深さが、１０％、２０％、３０％、４０％の場合には、重心Ｇの移動距離（比率）は、それぞれ、２、４、５、１７である。
３段目の各欄内の数値は、中心孔１５と６つの工具挿入孔１７ａのうち６つの工具挿入孔１７ａのみを設けた場合において、重心Ｇが移動した距離を比率で示している。
４段目の各欄内の数値は、中心孔１５と６つの工具挿入孔１７ａの両方を設けた場合において、重心Ｇが移動した距離を比率で示している。
なお、２〜４段目における各欄内の重心Ｇの移動距離は、同じ基準値に対する比率で示されている。
【００３４】
［第２実施形態］
次に、第２実施形態によるコンプレッサ羽根車１０を説明する。第２実施形態によるコンプレッサ羽根車１０は、以下において説明する点で、第１実施形態によるコンプレッサ羽根車１０と異なるが、他の点は、第１実施形態によるコンプレッサ羽根車１０と同じである。
【００３５】
図５は、本発明の第２実施形態によるコンプレッサ羽根車１０を示す。
【００３６】
第２実施形態では、基部５は、先端面９側に位置する先端側部分２３と、後端面１１側に位置する後端側部分２５と、を有する。後端側部分２５の材料は、先端側部分２３の材料よりも密度が高い。好ましくは、後端側部分２５の材料は鋼または鋼合金であり、先端側部分２３の材料はアルミ合金である。図５において、後端側部分２５と先端側部分２３との接合面を破線で示している。なお、後端側部分２５と先端側部分２３の接合方法は、例えば、特許文献３に記載されている。
【００３７】
この第２実施形態により、コンプレッサ羽根車１０の重心Ｇを、さらに後端面１１側へずらすことができる。
【００３８】
［第３実施形態］
次に、第３実施形態によるコンプレッサ羽根車１０を説明する。第３実施形態によるコンプレッサ羽根車１０は、以下において説明する点で、第１実施形態によるコンプレッサ羽根車１０と異なるが、他の点は、第１実施形態によるコンプレッサ羽根車１０と同じである。
【００３９】
図６は、本発明の第３実施形態によるコンプレッサ羽根車１０を示す。
【００４０】
第３実施形態では、基部５は、最外径部分５ａよりも後端面１１側において、半径方向外側へ（例えば、先端面９の半径方向寸法の２倍以上の寸法に）拡大された拡径部分２７（図６において破線で囲んだ部分）を有する。これにより、コンプレッサ羽根車１０の重心Ｇを、さらに後端面１１側へずらすことができる。
【００４１】
［実施形態の組み合わせ］
第１実施形態で述べたように、好ましくは、コンプレッサ羽根車１０の重心Ｇを、軸方向位置に関して最外径部分５ａと一致させる。そのための手段として、第１実施形態の中心孔１５で不十分である場合には、上述の第２実施形態と第３実施形態の一方または両方をさらに採用してもよい。すなわち、中心孔１５に加えて、後端側部分２５の材料を先端側部分２３の材料よりも密度を高くすることと、最外径部分５ａよりも後端面１１側の部分を、半径方向外側に拡大することの一方または両方を採用することにより、コンプレッサ羽根車１０の重心Ｇを、軸方向に関して最外径部分５ａの位置と一致させてもよい。
【００４２】
本発明は上述した実施の形態に限定されず、本発明の要旨を逸脱しない範囲で種々変更を加え得ることは勿論である。
【符号の説明】
【００４３】
３  回転シャフト、３ａ  雄ネジ部、５  基部、５ａ  基部の最外径部分、５ｂ  基部の先端部分、７  コンプレッサ翼、９  先端面、１０  コンプレッサ羽根車、１１  後端面、１３  シャフト挿入孔、１３ａ  雌ネジ部、１５  中心孔、１７  工具係合部、１７ａ  工具挿入孔、１９  工具、１９ａ  挿入部、１９ｂ  頭部、２１  マンドレル、２１ａ  マンドレルの先端部、２１ｂ  マンドレルの根元部、２１ｃ  マンドレルのベース上面、２３  基部の先端側部分、２５  基部の後端側部分、２７  基部の拡径部分、Ｃ  中心軸、Ｇ  重心
【図１】
0005769061.tif 000003
【図２】
0005769061.tif 000004
【図３】
0005769061.tif 000005
【図４】
0005769061.tif 000006
【図５】
0005769061.tif 000007
【図６】
0005769061.tif 000008